(57)【特許請求の範囲】
【請求項１】
ランダムアクセスが可能である記録メディアを用いて映像の記録及び再生を行う記録再生装置において、
上記記録メディアに記録されている記録済映像については対応する再生時間を、上記記録メディアに残された記録可能な容量については録画しようとするモードに応じた記録可能時間に変換し前記変換した記録可能時間を算出し、前記算出した再生時間と記録可能時間の和を１としたときに前記再生時間および前記記録可能時間が占める割合をそれぞれスケール化し、表示画面に視覚的に定量表示する定量表示手段と、
再生中の映像の上記定量表示における再生位置を示す再生インジケータ又は記録中の映像の上記定量表示における記録位置を示す記録インジケータのうち少なくともいずれかを表示するインジケータ制御手段と、
表示オブジェクトである上記再生インジケータ、上記記録インジケータのうち少なくとも１つを選択すると共に、入力された所定の命令と上記選択された表示オブジェクトに基づいて所定の処理を実行するインジケータ選択実行手段とを備えることを特徴とする記録再生装置。
【請求項２】
上記再生インジケータに加えて、上記定量表示上にて記録済映像の所定の位置が選択されていることを示すジャンプインジケータを表示するジャンプインジケータ制御手段を備えると共に、
上記ジャンプインジケータが上記インジケータ選択実行手段の処理対象である上記表示オブジェクトを構成する請求項１に記載の記録再生装置。
【請求項３】
上記ジャンプインジケータは、上記再生インジケータ又は上記記録インジケータに連動して移動する請求項２に記載の記録再生装置。
【請求項４】
上記ジャンプインジケータは、上記再生インジケータ又は上記記録インジケータが示す位置より所定時間前の位置を連動して移動する請求項２に記載の記録再生装置。
【発明の詳細な説明】
【０００１】
【発明の属する技術分野】
本発明は、記録再生装置、プログラム及び記録媒体に係り、詳しくは、ランダムアクセスが可能である記録メディアを用いて映像の記録及び再生を行う記録再生装置、プログラム及び記録媒体に関するものである。
【０００２】
【従来の技術】
従来より、テレビ番組等の映像を録画・再生するメディアとして一般的に利用されているのがビデオテープである。ビデオテープはその構造上、録画と再生を同時にすることができず、また目的とする録画済映像（番組）を瞬時に再生することもできないものであった。
【０００３】
近年、上記ビデオテープに代わり、テレビ番組等の映像の録画・再生に利用するメディアとして、ハードディスク（ＨＤ）やＤＶＤ（Digital Versatile Disc） 等のランダムアクセスが可能な記録メディアが利用されつつある。
【０００４】
上記ランダムアクセスが可能な記録メディアを利用することにより、テレビ番組等の映像の録画・再生を行う記録再生装置には、従来のビデオテープでは実現不可能であった様々な機能が追加されるに至っている。
【０００５】
上記機能の一例として、例えば追いかけ再生機能が挙げられる。当該追いかけ再生機能とは、従来の記録再生装置では不可能だった記録の途中での記録中映像の再生や、記録の途中での他の記録済み映像の再生を可能にする機能である。
【０００６】
上記追いかけ再生機能において、ある映像を記録中に既に記録してある記録済映像を再生する場合、例えばユーザは以下のような操作を行う。即ち、再生しようとする記録済映像と記録中の映像とをテレビ画面に並べて表示し、再生しようとする映像（記録済映像）を前進（従来のビデオテープにおける早送りに相当）・後退（従来のビデオテープにおける巻き戻しに相当）して希望する再生位置を決定した後、テレビ画面中央に当該再生位置より記録済映像を表示するのである。
【０００７】
また、記録中の映像の既に記録した部分を見たい場合には、ユーザは例えば既に記録した映像の先頭と記録中の映像を並べて表示し、当該先頭の映像を選択することによって、記録済の映像をテレビ画面中央に表示するのである。
【０００８】
以上が、ランダムアクセスが可能な記録メディアの利用により追加された代表的な機能、及び当該機能に対応する操作方法である。
【０００９】
ところで、ビデオテープの性格上やむを得ないのではあるが、従来のビデオテープを利用した際の当該ビデオテープに記録された映像情報の表示は不十分であった。
【００１０】
このため、例えば特許第３１０７０６３号公報に当該ランダムアクセスが可能な記録メディアに記録された映像の情報を表示する技術が示されている。
【００１１】
上記特許第３１０７０６３号公報に記載の技術は、ある記録中映像の録画予定時間と、録画済み時間とを重ねて表示すると共に、当該表示上に再生位置を示すポインタを表示することにより、ユーザが録画予定時間、録画済時間、再生位置を容易に把握可能にした技術である。
【００１２】
【発明が解決しようとする課題】
以上に挙げたように、記録メディアが様々な機能要求に対応可能になったため、記録再生装置で様々な機能が追加されるに至っている。しかし、多数且つ複雑な機能の追加に伴って、ユーザは今までに無い操作を強いられることになり、上記追加機能を使いこなすには、複雑な操作を覚える必要がある。例えば、記録中映像と記録済映像の切り替えにおいては、上述したように、まず記録済映像と記録中映像を並べて表示させて、当該表示から希望する映像を選択する必要があった。当然、複数の記録済映像から再生を希望する映像を選択する場合には、当該複数の記録済映像を表示させる必要があり、さらに記録済映像を選択した後も、例えば映像の途中から再生する場合には、前進・後退といった作業が必要であるために操作が複雑である。従って、上記機能を十分に使いこなせると共にユーザが上記複雑な操作を覚える必要の無い、即ちユーザにやさしい操作性を持ったインターフェイスの開発が望まれている。
【００１３】
さらに、従来のビデオテープでは録画時間が比較的短いため当該ビデオテープを入れ替える必要が生じ、即ちユーザはビデオテープの違いにより映像の違いを判断していた。ところが記録メディアの大容量化に伴い入れ替えが不要になりつつある今では、１つの記録メディアに対して多数の映像が記録できる。それ故に１つの記録メディア内での映像の管理が必要となってきている。
【００１４】
しかしながら、上述した特許第３１０７０６３号公報に記載の技術では、１つの映像について、ユーザが録画予定時間、録画済時間、再生位置を容易に把握可能ではあるが、１つの記録メディアに記録された複数の映像の情報を把握することは不可能である。つまり、記録メディアにどのような映像が幾つ記録されており、残りの記録可能時間はどれくらい有るのか、さらにはどの映像が記録メディアに対してどの程度容量を占めているのか、といった情報を容易にしかも判りやすく知ることができないといった問題がある。また更に、映像情報の表示機能のみしか提供されておらず、当該映像の管理については全く開示されていない。
【００１５】
特に、上記ハードディスクやＤＶＤ等の記録容量は、近年、加速度的に増加しているため、映像の記録可能時間は上記ビデオテープをはるかに凌ぐに至っており、今後もさらなる記録可能時間の増加が予想される。このため、１つの記録メディア内の各記録済み映像を容易に管理する技術の提供が急がれている。
【００１６】
従って本発明は、記録メディアに記録されている情報を視覚的にしかも判りやすく表示するとともに、当該表示を利用してユーザの入力を受け付けることでユーザに対して十分な情報の表示及び容易な操作性を提供し、さらに追いかけ再生時においては、記録済映像と記録中映像の切り替えを画面を切り替えることなく行えると同時に、記録済映像の切り替えも簡単な操作で行うことが可能である記録再生装置を提供することを目的とする。
【００１７】
【課題を解決するための手段】
本発明は、上記目的を達成するために以下の手段を備える。
【００１８】
すなわち、ランダムアクセスが可能であるメディアを用いて映像の記録及び再生を行う記録再生装置を前提としている。ここで記録再生装置に設けられた定量表示手段は、上記記録メディアに記録されている記録済映像については対応する再生時間を、上記記録メディアに残された記録可能な容量については録画しようとするモードに応じた記録可能時間に変換し前記変換した記録可能時間を算出し、前記算出した再生時間と記録可能時間の和を１としたときに前記再生時間および前記記録可能時間が占める割合をそれぞれスケール化し、表示画面に視覚的に定量表示する。
【００１９】
さらに、インジケータ選択実行手段が、表示オブジェクトである上記再生インジケータ、上記記録インジケータのうち少なくとも１つを選択すると共に、例えばユーザより入力された所定の命令と選択されている上記表示オブジェクトに基づいて所定の処理を実行する
従って、ユーザは定量表示（スケール）を見ることにより、既に記録メディアに記録されている映像の数、再生時間、残りの記録可能時間を瞬時に視覚的に知ることができる。また、再生インジケータ、記録インジケータ等の表示オブジェクトに対して視覚的に直接指示を入力することを可能とすることで、希望する再生映像、再生位置の選択等を瞬時に行うこができ、一層操作性の高いユーザインターフェイスを提供することが可能となる。
【００２０】
さらに、記録済映像に記録される画像を表示する画像表示手段を備え、上記画像表示手段が表示する画像は、記録済映像における音声モード切り替わり時の画像や、記録済映像におけるシーンチェンジ時の画像や、記録済映像における予め設定されたシーンの画像とする構成がある。
【００２１】
この構成では、各映像の特徴ある静止画を表示することが可能になる。この為ユーザが興味を示す（閲覧を希望する）可能性の高い映像位置を選択することが可能となり、ユーザによる操作性を高めることができる。
【００２２】
さらに終了インジケータ制御手段が、記録中の映像の上記定量表示における終了予定位置を表示する構成がある。
【００２３】
この構成では、ユーザはどの程度記録が進んでいるか、さらにはあと何分で記録が終了するかといった情報を瞬時に知ることが可能である。
【００２４】
また、記録インジケータが示す記録位置と上記再生インジケータが示す再生位置の時間間隔を表示する構成や、当該時間間隔が、再生インジケータが記録インジケータに追いつくまでにかかる時間とした構成がある。
【００２５】
この構成では、ユーザは再生インジケータが記録インジケータにおいつくまでの時間を正確に把握できる。
【００２６】
また、定量表示手段が、記録済映像を、再生時間、記録容量、記録場所のいずれかに基づいて定量表示する構成や、当該３種の定量表示を切り替え可能にした構成がある。
【００２７】
この構成では、ユーザが目的とする操作に適当な表示を選択することができ、すなわちユーザの操作に必要な情報を提供することができる。
【００２８】
さらに、上記再生インジケータに加えて、定量表示上にて記録済映像の所定の位置が選択されていることを示すジャンプインジケータを表示するジャンプインジケータ制御手段を備え、上記ジャンプインジケータを上記インジケータ選択実行手段の処理対象である上記表示オブジェクトとする構成がある。
【００２９】
この構成では、ジャンプインジケータが示す位置の映像を、再生インジケータに対応する表示位置とは異なる位置にて表示させることで、ユーザは再生中の映像をそのままにして、異なる映像の選択を行うことができる。
【００３０】
さらに、再生インジケータ又は記録インジケータに連動して移動する構成がある。
【００３１】
この構成では、ユーザがもう一度同じシーンを見たい場合などに、ユーザがジャンプインジケータを選択することで即座に目的とする映像を再生することが可能になる。
【００３２】
【発明の実施の形態】
以下、添付図面を参照して、本発明の実施の形態につき説明し、本発明の理解に供する。尚、以下の実施の形態は、本発明を具体化した一例であって、本発明の技術的範囲を限定する性格のものではない。
【００３３】
〔実施の形態１〕
まず図１、図４を用いて、本実施の形態１に係る記録再生装置の概要について説明する。尚、図４はリモコンの一例である。
【００３４】
図１に示す記録再生装置１０１は、システム制御手段１０２、録画制御手段１０３、再生制御手段１０４、記録メディア１０５、入力制御手段１０６、ＧＵＩ制御手段１０７、ＡＶ出力制御手段１０８、受信手段１０９より構成される。尚、上記記録再生装置１０１は、具体的にはデジタルビデオレコーダ、ＤＶＤレコーダ等を指し、記録メディア１０５はハードディスクやＤＶＤ（ＤＶＤ−ＲＡＭ，ＤＶＤ−ＲＷ等）などのランダムアクセス可能メディアであって、着脱は必ずしも可能である必要はない。又、受信手段１０９は番組放送等を受信可能なチューナであり、当該番組放送は有線放送や無線放送等により提供される。但し、必ずしも番組放送を受信する必要はなく、例えば家庭用デジタルビデオ等により記録された映像を上記記録メディア１０５に格納（記録）するものであってもよい。又、表示手段１１０は具体的にはテレビやリモコン（リモートコントローラー）４０１の表示部であって、特に表示方法を限定するものではない。ここでは番組放送、その他の動画を含めて映像と称する。
【００３５】
尚、上記記録再生装置１０１に格納される各手段は、ハードウェア又はソフトウェアとして提供される。
【００３６】
次に、基本的な記録再生装置１０１の入出力動作について説明する。当該記録再生装置１０１へのユーザからの指示は、まず入力制御手段１０６にて受け付けられ、システム制御手段１０２に送信される。ここで、例えばユーザからの指示が番組放送（映像）の録画指示であった場合、ユーザが選択した番組放送（映像）が、受信手段１０９にて受信され、映像としてシステム制御手段１０２に送信される。次に、システム制御手段１０２は、当該映像を録画制御手段１０３に送信し、録画制御手段１０３は上記映像を上記記録メディア１０５に記録する。以上により、所定の映像が上記記録メディア１０５に記録（録画）されるに至る。尚、上記ユーザの入力は、例えばリモコン４０１により行われる。
【００３７】
次に、ユーザが映像の再生指示を上記リモコン４０１等を用いて入力制御手段１０６に対して行うと、当該再生指示は上記システム制御手段１０２に送信され、さらに再生制御手段１０４に送信される。続いて上記再生制御手段１０４は、記録メディア１０５に記録されている映像の情報をシステム制御手段１０２に送信する。ここに映像の情報とは、番組名や記録日時、再生時間等の、映像の特定に用いられる情報である。
【００３８】
上記映像の情報を受信したシステム制御手段１０２は、当該映像の情報をＡＶ出力制御手段１０８に送信し、該ＡＶ出力制御手段１０８は表示手段１１０に対応する方式に変換して上記映像の情報を表示手段１１０に送信する。
【００３９】
上記表示手段１１０は上記映像の情報を受信すると、例えばブラウン管等のディスプレイや、上記リモコン４０１の表示部４０４に表示することで、上記ユーザに映像の情報を伝える。
【００４０】
次に、上記映像の情報を上記ユーザが確認し、希望する映像を上記リモコン４０１を用いて選択すると、当該選択した情報は上記入力制御手段１０６、システム制御手段１０２を介して再生制御手段１０４に送信さる。上記選択情報を再生制御手段１０４が受信すると、当該選択情報に該当する映像を上記記録メディア１０５より読み出し、システム制御手段１０２を介して上記ＡＶ出力制御手段１０８に送信する。上記ＡＶ出力制御手段１０８は受信した映像を表示手段１１０に出力することにより、上記ディスプレイにユーザが選択した映像を表示するに至る。
【００４１】
以上が基本的な記録再生装置１０１の入出力動作であるが、本実施の形態１では、さらにＧＵＩ制御手段１０７がユーザの入力に対する様々な制御を行う。
【００４２】
続いて図１、図２、図３，図４、図５、図９を用いて、上記ＧＵＩ制御手段１０７が行う処理の詳細について説明する。尚、図２は、上記ＧＵＩ制御手段１０７が例えば表示手段１１０（リモコン４０１の表示部４０４を含む）に表示する表示オブジェクトの一例であり、図３は、上記表示オブジェクトをディスプレイに表示した際のイメージ図である。また、図５はＧＵＩ制御手段における処理を示したフローチャートである。
【００４３】
以下に示すのは、映像再生時におけるユーザの映像選択、再生方法である。
【００４４】
まず、ユーザは例えば図４に示すリモコン４０１の所定のボタン、ここでは再生４０２を押下することで、記録メディア１０５に記録された映像の内容（情報）を表示する旨を示す内容表示要求を上記入力制御手段１０６に送信する。上記内容表示要求は、入力制御手段１０６を介してシステム制御手段１０２にて受信され、さらに、該システム制御手段１０２は上記内容表示要求をＧＵＩ制御手段１０７に送信する。
【００４５】
次に、上記ＧＵＩ制御手段１０７を構成する定量表示手段１１１が上記内容表示要求を受信すると、上記システム制御手段１０２及び再生制御手段１０４を介して記録メディア１０５より記録情報を読み込む（図５：Ｓ５０１）。ここに記録情報とは、既に記録されている記録映像数、各記録済映像の記録時間、メディアの全記録可能時間等である。続いて上記定量表示手段１１１は、上記記録情報を基に、（映像の記録時間／メディアの全記録可能時間）を算出する（図５：Ｓ５０２）。具体的には例えば全記録可能時間が５時間のメディアの場合であって、映像の記録時間が１時間の場合には０．２となる。当該算出された数値は、図２における全体スケール２０１を１とした場合の当該記録済映像のスケールの長さである。尚、上記全体スケール２０１の実際のディスプレイ上での長さ（割合）は、表示の位置等により異なる。上記スケールとは、各映像の記録時間とメディアの残りの記録可能時間を視覚的に定量表示したものであり、例えば各スケールの表示面積を以って当該スケールの大きさ、容量、時間等を表現するものである。具体的には例えばグラフ表示である。
【００４６】
該当する映像の全体スケール２０１に対する割合を算出すると、次に全映像に対して上記算出する処理を行ったかを判定し、全映像の処理を行っていない場合にはさらに残りの映像に対して上記算出する処理を繰り返す（図５：Ｓ５０３Ｎｏ〜Ｓ５０２）。
【００４７】
全ての記録済映像について上記算出を行うと、続いて（未記録時間／メディアの全記録可能時間）を算出する。この処理は、メディア１０５における残りの記録可能時間のスケールの長さを決定するものである（図５：Ｓ５０３Ｙｅｓ〜Ｓ５０４）。但し、ここで上記未記録時間は、例えば映像の録画モード、即ち高画質録画や低画質録画等の設定により異なることが考えられる。この場合、現在設定されている映像の録画モード、又は以前に再生した映像と同じ録画モード等、任意に設定できるものとする。尚、後述するように、録画をしている最中に上記定量表示の処理をする場合には現在録画されている録画モードを用いて未記録時間を計算するのが望ましい。
【００４８】
上記各映像及び未記録時間の全体スケール２０１に対する長さ（割合）が決定すると、次に上記算出した各映像のスケール及び上記未記録時間のスケールを作成する（図５：Ｓ５０５〜Ｓ５０６）。
【００４９】
作成した上記スケールは、システム制御手段１０２及びＡＶ出力制御手段１０８を介して表示手段１１０の所定の場所に表示される。尚、上記スケールは例えば映像ごとに異なる図柄、色等を用いて表示することで各映像をユーザが容易に区別することが可能である。
【００５０】
上記スケールの一例を図２に示す。図２の全体スケール２０１は、例えば記録メディア１０５の記憶容量が、標準で５時間の映像を記録可能な場合であり、映像２０２〜２０５はそれぞれ記録メディア１０５に記録されている映像を当該映像の記録時間（再生時間）を基準にしてスケール化したものである。即ち、一つの矩形ブロック２０７を２０分と仮定すると、映像２０２は６０分、映像２０３は４０分、映像２０４は８０分、映像２０５は４０分の再生時間を有する。但し、上述した録画モードが異なる場合、例えば映像２０３は映像２０４の例えば２倍の容量を用いて記録している場合（通常、映像２０３は映像２０４よりも映像が美しい）、実際の記録メディア１０５内で各映像２０３、２０４が占める容量は同一となる。
【００５１】
上記各映像のスケールに加えて、残りの記録可能時間２０６がスケール化されて表示される。ここでは全ての映像が同一の録画モードを用いて記録されているとすると、残りの記録可能時間２０６は４つの矩形ブロックからなり、即ち８０分である。
【００５２】
以上のように、各映像のスケールは再生時間を用いてスケール化しているため、ユーザは当該スケールを見ることにより各映像の再生時間を瞬時に視覚的に知ることができる。尚、残りの記録可能時間２０６も表示しているが、上記説明のように、リモコンの再生４０２を押下した場合等、映像の録画に関係しないコマンドの入力時には、必ずしも残りの記録可能時間２０６を表示する必要はない。
【００５３】
次に、上記定量表示手段１１１が上記スケールの表示をＡＶ出力制御手段１０８を介して行った後、インジケータ制御手段１２０を構成する再生インジケータ制御手段１１２は、上記インジケータにおける前回再生した映像の位置に再生インジケータ２０８を表示する（図５：Ｓ５０７）。該再生インジケータ２０８の表示もスケールと同様、システム制御手段１０２及びＡＶ出力制御手段１０８を介して表示手段１１０に行われる。尚、前回再生した映像の位置は、上記ＧＵＩ制御手段１０７の図示しない記憶領域に記憶しているものとする。但し、前回再生した映像の位置の記録が無い場合等には、例えば先頭映像（記録が一番古い映像等）２０２の先頭に上記再生インジケータ２０８を表示する（図５：Ｓ５０７）。
【００５４】
次に、上記再生インジケータ制御手段１１２にて再生インジケータ２０８が表示された後、ＧＵＩ制御手段１０７を構成する画像表示手段１１３が上記スケールにおける、各映像２０２〜２０５に対応する所定の位置に静止画カーソル２１０〜２１８を表示する（図５：Ｓ５０８〜５０９）。当該静止画カーソル２１０〜２１８は、上記スケール及び再生インジケータ同様、システム制御手段１０２及びＡＶ出力制御手段１０８を介して表示手段１１０に表示される。尚、静止画カーソル２１０〜２１８は、画像表示手段１１３によって表示位置（各映像２０２〜２０５における位置を示す）が決定されるが、決定の詳細は後述する。
【００５５】
次に、上記画像表示手段１１３は、上記各静止画カーソル２１０〜２１８に対応する各映像（静止画：サムネイル）２２０〜２２８を、上記システム制御手段１０２及び再生制御手段１０４を介して記録メディア１０５より読み出す。
【００５６】
読み出された上記静止画２２０〜２２８はそれぞれ上記静止画カーソル２１０〜２１８に対応する位置に表示される（図５：Ｓ５１０）。尚、図２において、静止画カーソル２１０〜２１８はそれぞれ静止画２２０〜２２８に対応する。又、図２においては静止画を横に並べているが、それぞれ対応する静止画カーソルの真横に表示してもよい。さらに、図９におけるディスプレイ３０１の所定の領域（子画面）９０３のように、スケールの表示の上部に静止画を表示し、静止画カーソル９０４を選択することにより上記所定の領域９０３の静止画を当該カーソル９０４に対応するものに切り替えてもよい。このようにすることにより、表示オブジェクトが再生映像の領域３０２を圧迫すること無くユーザに表示オブジェクトを提供することが可能になる。
【００５７】
以上により、上記スケール及び当該スケールの対応する位置に再生インジケータが表示され、さらに静止画カーソルと静止画が表示されるに至る。これにより、ユーザは既に記録メディアに記録されている映像の数、再生時間、残りの記録可能時間、前回再生した映像の位置を視覚的（感覚的）に瞬時に把握することが可能である。又、各映像（スケール）の対応する位置に静止画カーソルと静止画が表示されるため、ユーザは各映像の所定の位置がどの様な場面であるかを容易に知ることができる。さらに、後述するインジケータ選択実行手段により、前回再生した映像の続きや、上記静止画にて表示された位置を容易に選択して再生可能となる。
【００５８】
次に、画像表示手段１１３による、記録済映像（映像２０２〜２０５）の静止画カーソル２１０〜２１８位置の決定方法について述べる（図５：Ｓ５０８の処理）。
【００５９】
図２において、例えば映像２０２における静止画カーソル２１０の位置は静止画２２０と、静止画カーソル２１２は静止画２２２と対応しているのは上述したとおりである。ここで、上記静止画カーソル２１０〜２１２の位置を決定するにあたり、当該映像２０２の特徴を捉えた静止画であることが好ましい。従って、上記画像表示手段１１３は以下のようにして当該位置を決定する。
【００６０】
まず、１つは音声モードの切り替わり位置である。即ち、従来では、例えばＣＭ（コマーシャル）時には音声モードとしてステレオ放送で、映像（番組放送）時にはモノラル放送や２か国語放送等で放送されることがある。このような場合には、上記記録メディア１０５にも上記音声モードの違いが記録される為、当該音声モードが切り替わる場所（映像中の場所）を境とし、その直前又は直後を静止画カーソル位置として決定するものである。
【００６１】
また、映像２０２のシーンチェンジを認識する方法もある。例えば特願平９−７７２８５号公報に開示されている技術では、画像分類情報検出処理を行うことにより抽出している。即ち、あるフレームの画像の輝度値Ｙの総和Ｓ（Ｙ）を算出し、さらに１つ前のフレームとの相関Ｃを算出して、当該相関Ｃと所定の閾値との比較によりシーンチェンジを判断する方法である。シーンチェンジの認識方法は、本発明の趣旨に直接関係しないため詳細は省略する。
【００６２】
さらに、ユーザが予め設定した位置を静止画カーソル位置としてもよい。例えばユーザが一度映像２０２を見た場合等に、気に入った映像の場所でリモコンの所定のボタン、例えば静止画４０３を押下する等により、当該情報が上記画像表示手段１１３に送信され、当該映像（シーン）の位置が記憶されるというものである。
【００６３】
以上のように、静止画カーソルの位置を効果的に選択することにより、当該映像の特徴ある静止画を表示することが可能になる。この為ユーザが興味を示す（閲覧を希望する）可能性の高い映像位置を選択することが可能となり、ユーザによる操作性を高めることができる。尚、上記３つの静止画位置決定方法は、ユーザによりどの方法を採用するかを選択させるようにしてもよいし、記録再生装置１０１が適当なものを自動的に採用するようにしてもよい。
【００６４】
次に、上記スケール、再生インジケータ、静止画カーソル、静止画等の表示オブジェクトをディスプレイ３０１（表示手段１１０の一例）に表示した例を図３に示す。ディスプレイ３０１の左端に、上記図２で示した各表示オブジェクトが、例えばスケールを積み上げグラフとして表示されている。当然、ディスプレイの左端である必要はなく、右端や上記スケールを横向きの積み上げグラフとして下端に表示してもよいし、別途独立したウインドウを表示し、当該ウインドウ内に表示してもよい。又、積み上げグラフではなく円グラフ等でも良い。
【００６５】
上記各表示オブジェクトが表示されると、インジケータ選択実行手段１１６により、ユーザは当該表示オブジェクトに対して入力が可能となる。即ち、ユーザは上記リモコン４０１を用いて、又はリモコン４０１の表示部４０４のパネルをタッチすること等により、入力制御手段１０６に指示を送信する。当該指示は、主に上記リモコン４０１のカーソルキー４０５を用いて行われる。まず、図２に示した表示オブジェクトの例えば再生インジケータ２０８にフォーカスが有るものとする。当該フォーカスとは、上記ユーザによる操作の対象となる上記表示オブジェクトが選択されている状態を指す。
【００６６】
上記再生インジケータ２０８にフォーカスがある状態で、例えばカーソルキー４０５の「右」を押下すると、当該「右」を示す信号が入力制御手段１０６及びシステム制御手段１０２を介してＧＵＩ制御手段１０７を構成するインジケータ選択実行手段１１６に送信される。
【００６７】
上記「右」を示す信号が上記インジケータ選択実行手段１１６にて認識されると、インジケータ選択実行手段１１６は、内部的に上記フォーカスを静止画カーソル２１０に移動する。尚、上記フォーカスの移動対象となる表示オブジェクトの選択は、例えば各表示オブジェクトの画面上での位置（座標）を上記インジケータ選択実行手段１１６が管理することで決定される。即ち、ここでは再生インジケータ２０８の右近傍に位置する静止画カーソル２１０にフォーカスが移動するのである。
【００６８】
この際、当該フォーカスの対象となる表示オブジェクトを管理するために、上記インジケータ選択実行手段１１６は、当該インジケータ選択実行手段１１６に格納された例えば図８に示す選択実行テーブルの、フォーカス８０３内の静止画２１０（８０２）を選択する。当該選択は、現在フォーカスを有する表示オブジェクトを内部的に管理するためのものである。
【００６９】
又、表示上も当該静止画カーソル２１０にフォーカスがあるようにユーザに見せるため、当該静止画カーソル２１０が選択されている旨を示す表示に更新するように、システム制御手段１０２及びＡＶ出力制御手段１０８を介して表示手段１１０に指示する。これにより、ディスプレイ上でも静止画カーソル２１０が選択されている状態となる。尚、上記静止画カーソル２１０が選択されている状態では、例えば図３に示すディスプレイの右側、即ち番組の再生映像を表示する領域３０２において上記静止画カーソル２１０に対応する静止画２２０を表示させるようにしてもよい。
【００７０】
次に、この状態で更に「下」を押下することにより、内部的及び表示上にて静止画カーソル２１１、２１２、２１３と順次フォーカスが移動する。当該移動する処理は上述したものと同様である。
【００７１】
続いて、上記静止画カーソル２１０〜２１８の何れか（ここでは静止画カーソル２１０）にフォーカスがある状態で、上記ユーザがリモコン４０１の再生４０２を押下したと仮定する。この場合、上記インジケータ選択実行手段１１６は、現在選択されているフォーカス位置（ここでは静止画２１０（８０２））と、上記押下された「再生４０２」に対応する再生８０４に基づいて、領域８０５に格納（記載）された処理内容をシステム制御手段１０２に送信する。ここでは、例えば「静止画２１０の位置から再生」処理である。
【００７２】
上記システム制御手段１０２にて上記処理内容が受信されると、当該フォーカスのある静止画カーソルに対応する位置の映像が、再生制御手段１０４を介して記録メディア１０５より読み出され、随時ＡＶ出力制御手段１０８を介して表示手段１１０にて表示、即ち再生される。
【００７３】
その他、選択実行テーブル８０１のフォーカス位置８０３にて選択されている各表示オブジェクト８０６と、リモコン等により入力制御手段１０６を介して入力された入力信号に対応する項目８０７に基づいて、処理内容８０８に記載されている処理が実行されるのは他の処理も同様である。
【００７４】
尚、フォーカスの移動について、再生インジケータ２０８にフォーカスがある状態においてカーソルキー４０５の「下」を押下することにより、例えば上記再生インジケータ２０８の位置が次の映像２０３の先頭位置２０９に移動するようにしてもよい。また、上記リモコン４０１の「下」を押下し続けることにより、上記再生インジケータ２０８を少しずつ下方に移動し、即ちユーザが希望する再生位置を微調整可能に移動させてもよい。
【００７５】
上記再生インジケータ２０８が選択されている状態で、上記同様、ユーザが再生４０２を押下することにより、当該位置に対応する映像が再生される。尚、上記映像の再生に伴い、再生インジケータ制御手段１１２は、上記再生インジケータ２０８を上記スケール内での再生位置を示す場所に随時移動する。当該移動によりユーザは、現在再生中の映像が映像全体のどの程度の位置にあるのかを容易に認識することができる。
【００７６】
また、上記静止画２２０〜２２８にそれぞれ番号を表示し、上記リモコン４０１の数字キー４０７を用いて上記各静止画に該当する番号を入力することにより当該静止画を選択、若しくは静止画の位置から再生するようにしてもよい。
【００７７】
以上のように、インジケータ選択実行手段を介して上記スケール、再生インジケータ及び各静止画カーソル、静止画に対し視覚的に直接指示を入力することを可能とすることで、希望する再生映像、再生位置の選択等を瞬時に行うこができ、一層操作性の高いユーザインターフェイスを提供することが可能となる。これは、入力がしにくく、さらにボタンがたくさんあるために各ボタンの機能が判断しづらい環境、即ち、入力が貧弱であるリモコンを用いた環境が主流である記録再生装置の問題の解決手段として、非常に有効である。
【００７８】
尚、ＡＶ出力制御手段１０８からリモコン４０１に映像信号を送るように構成することで、ユーザは図２におけるリモコン４０１の表示部４０４に表示された表示オブジェクト４１０を見ながら映像の操作が可能になり、また表示手段１１０には映像のみを表示可能となるので表示領域を広くとることが可能となる。また、リモコン４０１の表示部４０４にタッチパネル方式を採用することでフォーカスの移動を容易にし、さらに操作性の高いユーザインターフェイスを提供可能である。
【００７９】
さらに、例えばディスプレイとは異なる表示装置であるサブディスプレイを設け、上記ＡＶ出力制御手段１０８は上記表示オブジェクトの映像信号を当該サブディスプレイに対して送るように構成することで、ディスプレイ上の表示を再生映像のみとすることが可能となる。
【００８０】
さらに、上記実施の形態１では、映像の記録時間（再生時間）を基準にして定量表示手段が表示を行っているが、必要に応じて記録容量を基準としてスケール化しても良い。
【００８１】
即ち、上記定量表示手段１１１は記録メディア１０５に記録されている各映像のデータサイズを取得し、又は記録モード（例えば１倍、２倍等）と記録時間との積より各映像の記録容量を算出するのである。記録容量を基準としてスケールを作成することにより、例えばある一定の記録容量を確保する必要がある場合に、各映像の記録メディアに占める割合が一目で把握できるため、ユーザは記録容量に応じて削除する映像を決定する際にわかりやすい情報を提供することができる。
【００８２】
さらに、記録メディアにおける映像の記録場所を忠実にスケール表示することにより、記録メディアのフラグメンテーションを解消するタイミングの情報をユーザに提供することが可能になる。即ち、例えば図１０は、記録再生装置が表示する定量表示を、記録場所を用いた表示に変更した際の一例である。
【００８３】
ここでは、上記映像２０２、２０３にはフラグメンテーションが起こっていないが、上記図２における映像２０４が図１０において映像２０４−１、２０４−２、２０４−３に断片化されているのがわかる。同様に、上記図２における映像２０５が図１０において映像２０５−１、２０５−２に断片化され、空き領域１００１〜１００３が分断されていることがわかる。
【００８４】
尚、上記定量表示手段１１１は、記録時間を用いたスケール化、記録容量を用いたスケール化、記録場所を用いたスケール化をユーザの指示により切り替えて表示可能としてもよい。切り替え可能とすることで、ユーザは目的に応じた表示を得ることができる。
【００８５】
〔実施の形態２〕
上記実施の形態１では、主に記録再生装置１０１の再生時における処理について説明したが、本実施の形態２では、主に記録時の処理について説明する。尚、記録再生装置１０１の内部での信号の受け渡しは基本的に上記実施の形態１と同様であるため必要な部分のみ記述する。
【００８６】
まず、ユーザが所定の映像（番組放送）の録画を希望する場合、リモコン４０１を操作することで受信手段１０９が受信する映像（番組放送）を選択する（図７：Ｓ７０１）。これは従来のテレビにて行われているチューナに対する操作であるため詳細は省略する。
【００８７】
続いて上記ユーザは、リモコン４０１の例えばメニュー４０９を押下して複数の録画モードを表示させ、その中から希望する録画モードを選択する（図７：Ｓ７０２）。当該録画モードは、上記インジケータ制御手段１２０を構成する記録インジケータ制御手段１１４に送信され記憶される。さらにユーザはリモコン４０１の録画４０８を押下することにより、現在選択されている映像（番組放送）の録画指示を記録再生装置１０１に送信する（図７：Ｓ７０３）。当該録画指示は、ＧＵＩ制御手段１０７にて受信され、実施の形態１にて説明したスケール２０１が定量表示手段１１１により表示手段１１０に表示される（図７：Ｓ７０４）。
【００８８】
ここで、図２における上記スケール２０１の残り記録可能時間２０６は、上記ユーザにより選択された録画モードにて再度計算された表示であり、上記図２で説明した残り記録可能時間２０６は８０分であったが、例えば本実施の形態２においてユーザが３倍モードを選択したと仮定すると、２４０分の録画が可能となる。
【００８９】
尚、記録の場合には再生インジケータ２０８や静止画カーソル２１０〜２１８、静止画２２０〜２２８等は必ずしも表示する必要はない。さらに、他の映像２０２〜２０５に対応するスケールも、必ずしも表示する必要はない。
【００９０】
図６（ａ）に、図２における残り記録可能時間２０６を、上記選択した録画モードに対応させて２４０分とした場合の表示の一例を示す。尚、図６（ａ）の状態ではスケール６０１はまだ記録が行われていないため、全ての矩形ブロックは未記録の状態である。
【００９１】
次に、スケール６０１が定量表示手段１１１により表示されると、続いて記録インジケータ制御手段１１４が記録インジケータ６０２を表示する。当該記録インジケータ６０２は、スケール６０１の先頭部に表示される。また、当該記録インジケータ制御手段１１４は、上記再生インジケータ２０８と同様、記録が進むに連れて上記記録インジケータ６０２をスケール６０１の下方に、既に記録した映像の時間に対応して移動するものである。
【００９２】
続いて記録インジケータ６０２が表示されると、終了インジケータ制御手段１１５は当該録画している映像（番組放送）の終了時間に対応する位置に終了インジケータ６０３を表示する（図７：Ｓ７０６）。ここで、終了インジケータ６０３は例えば録画時間をユーザが予め予約している場合や、映像（番組放送）により放送終了時間の情報を入手可能な場合、又は当該記録再生装置１０１がＥＰＧ（Electronic Program Guide）から終了時間を入手可能な場合等に表示される。尚、図６（ａ）に示すのは、矩形ブロックを１つ２０分とし、１８０分の映像（番組放送）を録画しはじめる時点の表示である。
【００９３】
次に、映像（番組放送）の記録が進むにつれて、図６（ｂ）に示すように記録インジケータ６０２は下方に移動するとともに、既に映像（番組放送）が記録された矩形ブロックには当該記録済を示す模様又は色が表示される（図７：Ｓ７０７）。当該表示の更新は、適宜記録インジケータ制御手段１１４及び定量表示手段１１１が行うものである。
【００９４】
上記記録インジケータ６０２が終了インジケータ６０３と一致する時、即ち当該映像（番組放送）が終了する時点で、映像（番組放送）の記録が終了する（図７：Ｓ７０８）。尚、終了した時には記録インジケータ６０２を消すようにしてもよい。
【００９５】
以上のように、映像（番組放送）の記録状態を上記スケール６０１、記録インジケータ、終了インジケータを用いて視覚的に表示することにより、ユーザはどの程度記録が進んでいるか、さらにはあと何分で記録が終了するかといった情報を瞬時に知ることが可能である。また、終了インジケータを表示することで、あとどの程度の録画可能時間が残るかといった情報も容易に知ることが可能である。
【００９６】
尚、さらに細かく記録が終了するまでの時間を表示するために、記録インジケータ制御手段１１４が、例えば図６（ｂ）のゲージ６０４に示すように終了インジケータ６０３と記録インジケータ６０４間の時間間隔を数値と併せて表示するようにしてもよい。
【００９７】
〔実施の形態３〕
次に、本実施の形態３では、記録メディアがランダムアクセス可能である場合に特有の追いかけ再生時の処理について説明する。
【００９８】
例えばユーザが野球番組（映像）を録画しており、録画が途中まで進んでいる状態が考えられる。このような場合であって、ユーザが当該野球番組を最初から見たい場合等に追いかけ再生が利用される。即ち、上記記録再生装置１０１において野球番組（映像）が記録されている状態で、ユーザは当該野球番組を最初から再生する。しかしながら、通常スピードの再生では野球放送が終了するまでに当該記録に追いつくことは考えられない。ここで従来より用いられる「倍速再生」や「３倍速再生」等の再生方法を用いることにより、現在記録している野球番組（映像）に追いつくことが可能である。
【００９９】
上記追いかけ再生は、例えば図６（ｃ）にて示す定量表示において、当該スケールの先頭部を選択し、上記実施の形態１にて説明したように再生を開始するのみで可能である。尚、上記「倍速再生」等の再生方法の選択は、リモコン４０１のメニュー４０９を押下すること等により選択できるものとする。
【０１００】
上記再生処理にて追いかけ再生を開始すると、上記再生インジケータ制御手段１１２は実施の形態１での説明と同じく、スケール６０１の先頭部に再生インジケータ６０５を表示し、再生が進むにつれて当該再生インジケータを下方に移動させる。
【０１０１】
上記再生インジケータ６０５が記録インジケータ６０２に追いつくと、図６（ｄ）に示すように、上記再生インジケータ６０５は消えて記録インジケータ６０２及び終了インジケータ６０３のみとなる。この状態で表示手段１１０には、記録中の映像（番組放送）が表示されている。
【０１０２】
以上により、スケール６０１、記録インジケータ６０２及び再生インジケータ６０５が表示手段１１０上に表示され、ユーザは現在の記録メディアに対する記録再生装置１０１の処理を全て視覚的に捉えることが可能である。
【０１０３】
さらに、追いかけ再生時には、上記再生インジケータ制御手段１１２は、記録インジケータ６０２と再生インジケータ６０５とを結ぶ追いかけゲージ６０６を表示し、再生インジケータ６０５が記録インジケータ６０２に追いつくまでの時間を表示する。当該時間は、再生速度、記録開始からの各インジケータの位置（記録開始からの時間）等を用いることにより下記（式１）にて算出可能である。
【０１０４】
（録画インジケータ位置−再生インジケータ位置）
÷（再生速度−録画速度）  ・・・式１
ここで、特に上記追いかけゲージ６０６には以下のような効果がある。
【０１０５】
即ち、上記追いかけ再生時には、上述したゲージ６０４とは異なり、スケールにおける矩形ブロックの数は記録インジケータに追いつく時間を表すものではない。具体的には、例えば図６（ｃ）に示した場合、再生インジケータ６０５と記録インジケータ６０２との間にある矩形ブロックが示す値は８０分である。しかしながら、例えば再生が３倍速で行われている場合には、再生インジケータ６０５が記録インジケータ６０２に追いつくのは４０分後である。即ち、当該スケールには、追いかけ再生時に、再生インジケータ６０５が記録インジケータ６０２に追いつくまでの時間の情報は表示されていない。よってユーザは、現在放送されている野球番組（映像）に追いつく時間を知るには再生スピード、記録開始からの時間等を用いて計算する必要がある。しかしながら当該計算は暗算で求められるほどは容易でないため、実際のところ「あと○分程度」といった精度でしか認識できない。当該追いかけゲージ６０６の表示により、ユーザは再生インジケータ６０５が記録インジケータ６０２においつくまでの時間を正確に把握できるようになる。
【０１０６】
尚、上記リモコン４０１より例えば「１時間後に追いつく」という設定を行うことにより、再生制御手段１０４が適切な再生スピードを計算（逆算）して再生するようにしてもよい。
【０１０７】
〔実施の形態４〕
次に、本実施の形態４では、所定の映像の選択を容易にするジャンプインジケータの処理について説明する。
【０１０８】
図９に示すのは、ディスプレイ３０１の番組等の再生映像を表示する領域３０２と各表示オブジェクト９０１を表示した一例である。ここで、当該表示オブジェクト９０１には、上記実施の形態１〜３で示した各表示オブジェクトに加えて、ジャンプインジケータ９０２が表示される。
【０１０９】
当該ジャンプインジケータ９０２は、図１に示したジャンプインジケータ制御手段１１７により制御される。尚、当該ジャンプインジケータの表示方法や選択方法は上記実施の形態１〜３における他のインジケータと同様であるので省略し、ここではジャンプインジケータ９０２特有の処理についてのみ述べる。
【０１１０】
上記ジャンプインジケータ９０２は、上記再生インジケータ２０８と類似の機能を有するが、上記再生インジケータ２０８が現在再生中の映像の位置を示しているのに対して、上記ジャンプインジケータ９０２は現在再生中の映像とは独立して操作可能である。つまり、例えばユーザがリモコンを介して上記再生インジケータ２０８を移動すると、上記領域３０２も当該再生インジケータ２０８が指し示す位置の映像を表示する。これに対して上記ジャンプインジケータ９０２を移動しても上記領域３０２にて表示されている映像には影響を与えない。
【０１１１】
従って、現在再生（記録）中の映像が領域３０２にて表示されている際に、当該表示をそのままにして、例えば他の複数の記録済み映像の中からユーザが見たい映像や見たいシーンを選択したい場合に、当該ジャンプインジケータが使用される。
【０１１２】
以下、上記ジャンプインジケータ制御手段１１７の処理について説明する。尚、当該ジャンプインジケータ９０２は予め上記表示オブジェクト９０１に表示されているものとする。
【０１１３】
まず、ユーザは例えばリモコンのカーソルキー４０５を用いて上記ジャンプインジケータ９０２にフォーカスをあてる。続いてカーソルキー４０５を用いて当該ジャンプインジケータ９０２を移動すると、移動された場所に対応する映像が再生制御手段１０４を介して上記記録メディア１０５より読み出され、システム制御手段１０２、上記ＡＶ出力制御手段１０８を介して表示手段１１０に出力される。但し、当該ジャンプインジケータ９０２の位置に対応する映像は、動画又は静止画として、ディスプレイ３０１の所定の領域（子画面）９０３に表示される。このため、領域３０２は現在再生（録画）中の映像が表示されている。
【０１１４】
次にユーザが、上記ジャンプインジケータ９０２が位置している場所に対応しているところから再生をしたい場合には、当該ジャンプインジケータ９０２にフォーカスがある状態で、リモコン４０１の再生４０２を押下する。
【０１１５】
上記再生４０２の押下は、入力制御手段１０６、システム制御手段１０２を介してインジケータ選択実行手段１０７に伝えられ、当該インジケータ選択実行手段１０７は現在のジャンプインジケータの位置をジャンプインジケータ制御手段１１７より取得する。
【０１１６】
上記ジャンプインジケータの位置を取得した上記インジケータ選択実行手段１１６は、当該位置から対応する映像を再生する旨をシステム制御手段１０２に通知すると共に、上記再生インジケータ制御手段１１２に対して再生インジケータの表示位置を上記取得した位置に変更するように通知する。
【０１１７】
上記再生する旨の通知がシステム制御手段１０２にて受信されると、再生制御手段１０４を介して記録メディアより対応する映像を取得し、ディスプレイ３０１上の領域３０２に表示する。
【０１１８】
また、上記再生インジケータ制御手段１１２は、再生インジケータの表示位置を上記取得した位置に変更する。
【０１１９】
以上のように、ジャンプインジケータを設け、当該ジャンプインジケータが示す位置の映像を、再生インジケータに対応する表示位置とは異なる位置にて表示させることで、ユーザは再生中の映像をそのままにして、異なる映像の選択を行うことができる。
【０１２０】
また、上記ジャンプインジケータを上記再生インジケータ又は記録インジケータに連動させて自動的に移動させてもよい。
【０１２１】
即ち、上記ジャンプインジケータ制御手段１１７は、随時上記再生インジケータ又は記録インジケータより各インジケータの位置情報を取得し、当該各インジケータ付近にジャンプインジケータを移動させる。上記インジケータ付近とは、例えば現在再生している映像の数秒前に対応する位置等である。
【０１２２】
これにより例えばスポーツ中継等の映像を再生している際でユーザがもう一度同じシーンを見たい場合などに、ユーザが当該ジャンプインジケータを選択することで即座に目的とする映像を再生することが可能になる。尚、上記連動するジャンプインジケータの位置はユーザが任意に決定すればよい。
【０１２３】
以上のように、再生インジケータ、記録インジケータに加えてジャンプインジケータに対して指示を入力することを可能とすることで、現在再生（記録）中の表示に影響を与えることなく希望する再生映像、再生位置の選択等を瞬時に行うこができる。
【０１２４】
【発明の効果】
各映像のスケールは再生時間を用いてスケール化しているため、ユーザは当該スケールを見ることにより各映像の再生時間を瞬時に視覚的に知ることができる。
【０１２５】
さらに、スケール、再生インジケータ、記録インジケータ、静止画、ジャンプインジケータ等の表示オブジェクトに対して視覚的に直接指示を入力することを可能とすることで、希望する再生映像、再生位置の選択等を瞬時に行うこができ、一層操作性の高いユーザインターフェイスを提供することが可能となる。
【０１２６】
又、ユーザは既に記録メディアに記録されている映像の数、再生時間、残りの記録可能時間、前回再生した映像の位置を視覚的（感覚的）に瞬時に把握することが可能である。
【０１２７】
さらに、各映像（スケール）の対応する位置に静止画カーソルと静止画が表示されるため、ユーザは各映像の所定の位置がどの様な場面であるかを容易に知ることができる。
【０１２８】
又、静止画カーソルの位置を効果的に選択することにより、当該映像の特徴ある静止画を表示することが可能になる。この為ユーザが興味を示す（閲覧を希望する）可能性の高い映像位置を選択することが可能となり、ユーザによる操作性を高めることができる。
【図面の簡単な説明】
【図１】本発明に係る記録再生装置の概略を示すハードウェアブロック図。
【図２】本発明に係る記録再生装置が表示する定量表示の一例。
【図３】表示オブジェクトをディスプレイに表示した例。
【図４】リモコンの一例。
【図５】ＧＵＩ制御手段における再生時の処理を示したフローチャート。
【図６】映像記録時及び追いかけ再生時の定量表示の一例。
【図７】ＧＵＩ制御手段における記録時の処理を示したフローチャート。
【図８】選択実行テーブルのイメージを示す図。
【図９】ジャンプインジケータ表示時のイメージ図。
【図１０】記録再生装置による記録場所を用いた表示の一例。
【符号の説明】
１０１−記録再生装置
１０２−システム制御手段
１０３−録画制御手段
１０４−再生制御手段
１０５−記録メディア
１０６−入力制御手段
１０７−ＧＵＩ制御手段
１０８−ＡＶ出力制御手段
１０９−受信手段
１１０−表示手段
１１１−定量表示手段
１１２−再生インジケータ制御手段（インジケータ制御手段を構成）
１１３−画像表示手段
１１４−記録インジケータ制御手段（インジケータ制御手段を構成）
１１５−終了インジケータ制御手段
１１６−インジケータ選択実行手段
１２０−インジケータ制御手段
【図１】
0004364469.tif 000002
【図２】
0004364469.tif 000003
【図３】
0004364469.tif 000004
【図４】
0004364469.tif 000005
【図５】
0004364469.tif 000006
【図６】
0004364469.tif 000007
【図７】
0004364469.tif 000008
【図８】
0004364469.tif 000009
【図９】
0004364469.tif 000010
【図１０】
0004364469.tif 000011